【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】  フロントウエスト領域と、バックウエスト領域と、該ウエスト領域の間を延びて、これを接続する股領域、及び一対の側部方向に対向した側部縁とを形成し、多機能結合システムを含むようになっている予め結合された使い捨て吸収性物品であって、該多機能結合システムは、
a)  前記ウエスト領域の一方において前記対向した側部縁に配置されており、前記使い捨て吸収性部品の前記対向したウエスト領域に取外し可能に予め結合されて、前記フロントウエスト領域を前記バックウエスト領域に取外し可能に係合し、予め結合された使い捨て吸収性物品を形成するようになっている一対の一次ファスナーと、
b)  前記ウエスト領域の一方に配置されており、前記予め結合された吸収性部品が前記着用者のヒップ周りで着用されると、前記ウエスト領域を着用者の身体に一致させるようにする、少なくとも１つの二次ファスナーと、
からなる使い捨て吸収性部品。
【請求項２】  前記一次ファスナーはフックおよびループ式ファスナ−であることを特徴とする請求項１に記載の吸収性物品。
【請求項３】  前記二次ファスナーもフックおよびループ式ファスナ−であることを特徴とする請求項２に記載の吸収性物品。
【請求項４】  前記多機能結合システムは、前記対向ウエスト領域に配置された少なくとも一つの取付けパネルを含んでおり、前記一次ファスナーは前記取付けパネルに取外し可能に係合されるようになっていることを特徴とする請求項１に記載の吸収性物品。
【請求項５】  前記ウエスト領域の一方において前記吸収性物品の前記対向した側部縁に配置されており、前記ウエスト領域を前記着用者の身体に適応するように前記対向したウエスト領域に取外し可能に係合するように構成された一対の前記二次ファスナーを含むことを特徴とする請求項１に記載の吸収性物品。
【請求項６】  前記二次ファスナーは、前記一次ファスナーが配置されている前記一つのウエスト領域に配置されていることを特徴とする請求項５に記載の吸収性物品。
【請求項７】  前記二次ファスナーは、前記吸収性物品に固定された取付け端部と、前記ウエスト領域を前記着用者の身体に一致させるように、前記吸収性物品の前記対向ウエスト領域に取外し可能に係合するように構成されたフック式ファスナーを含む自由端部と、を形成する延長部材を含むことを特徴とする請求項１に記載の吸収性物品。
【請求項８】  前記延長部材の前記取付け端部は前記一次ファスナーと前記フック式ファスナーから内方に配置されており、前記延長部材の前記自由端部は前記一次ファスナーの少なくとも一方にわたり延びて、前記吸収性物品の前記対向ウエスト領域に取外し可能に係合し、該ウエスト領域を前記着用者に一致させるようにすることを特徴とする請求項７に記載の吸収性物品。
【請求項９】  前記一次ファスナーは、前記吸収性物品の前記バックウエスト領域において前記一対の側部方向に対向した側部縁に配置されており、前記吸収性物品の前記フロントウエスト領域に取外し可能に係合されるように構成されていることを特徴とする請求項１に記載の吸収性物品。
【請求項１０】  前記吸収性物品は、不織材料からなる外側カバーを含むことを特徴とする請求項１に記載の吸収性物品。
【請求項１１】  前記一次および前記二次ファスナーは前記外側カバーに取外し可能に係合するように構成されたフック式ファスナーであることを特徴とする請求項１０に記載の吸収性物品。
【請求項１２】  前記多機能結合システムは前記外側カバーに配置された少なくとも一つの取付けパネルを含んでおり、前記一次ファスナーは前記取付けパネルに取外し可能に係合するように構成されていることを特徴とする請求項１０に記載の吸収性物品。
【請求項１３】  フロントウエスト領域と、バックウエスト領域と、該ウエスト領域の間を延びて、これを接続する股領域、及び一対の側部方向に対向した側部縁とを形成し、多機能結合システムを含むようになっている使い捨て吸収性物品であって、該多機能結合システムは、
a)  前記ウエスト領域の一方において前記対向した側部縁に配置されており、前記使い捨て吸収性物品の前記対向したウエスト領域に取外し可能に予め結合されて、前記フロントウエスト領域を前記バックウエスト領域に取外し可能に係合するようになっている一対の一次ファスナーと、
b)  前記ウエスト領域の一方に配置されており、前記ウエスト領域と側部方向に対向した端部とに固定された取付け部分を形成するようになっているベルトセグメントと、
c)  前記ベルトセグメントの前記対向端部に配置され、前記一次ファスナーが取外し可能に係合されると、前記ウエスト領域を着用者の身体に一致させるように前記対向したウエスト領域に取外し可能に係合している一対の二次ファスナーと、
からなる使い捨て吸収性部品。
【請求項１４】  前記ベルトセグメントは少なくとも約１００パーセント延びることのできる弾性材料からなることを特徴とする請求項１３に記載の吸収性物品。
【請求項１５】  前記ベルトセグメントの前記取付け部分は、前記ウエスト領域において前記吸収性物品の内面に取付けられていることを特徴とする請求項１３に記載の吸収性物品。
【請求項１６】  前記ベルトセグメントの前記側部方向に対向した端部が、前記ウエスト領域のスロットを通り、前記ウエスト領域の前記吸収性物品の外面に延びていることを特徴とする請求項１５に記載の吸収性物品。
【請求項１７】  前記ベルトセグメントの前記取付け部分は前記ベルトセグメントの全長の約７５パーセント未満の取付け長さを形成することを特徴とする請求項１３に記載の吸収性物品。
【請求項１８】  前記二次ファスナーそれぞれの外面は、前記吸収性物品の前記外面に対し色づけされており、世話人にとって前記二次ファスナーを配置する助けとなることを特徴とする請求項１３に記載の吸収性物品。
【請求項１９】  フロントウエスト領域と、バックウエスト領域と、該ウエスト領域の間を延びて、これを接続する股領域、及び一対の側部方向に対向した側部縁とを形成する使い捨て吸収性物品であって、該吸収性物品は、
a)  外側カバーと、
b)  該外側カバーに接続されたバックシートを含む吸収体本体と、重ねられた関係で前記外側カバーに接続されている体側ライナーおよび前記体側シートと前記体側ライナーとの間に配置された吸収性コアと、
c)  多機能結合システムと、からなり、該多機能結合システムは、
i)  前記吸収性物品の前記バックウエスト領域の側部方向に対向した前記側部縁上の前記外側カバーに配置されており、前記使い捨て吸収性部品の前記フロントウエスト領域に取外し可能に結合されるようになっている一対の一次ファスナーと、
ii)  前記吸収性物品の前記バックウエスト領域に配置されており、前記ウエスト領域と一対の側部方向に対向した端部とに固定された取付け部分を形成するベルトセグメントと、
iii)  該ベルトセグメントの前記対向端部に配置され、前記一次ファスナーが取外し可能に係合されると、前記ウエスト領域を着用者の身体に一致させるように前記フロントウエスト領域の前記外面に取外し可能に係合するように構成された一対の二次ファスナーと、
からなる使い捨て吸収性部品。
【請求項２０】  前記二次ファスナーと前記ベルトセグメントの前記対向端部のそれぞれは、前記各一次ファスナーを越えて延びており、前記吸収性物品の前記フロントウエスト領域と取外し可能に係合し、前記一次ファスナーが前記フロントウエスト領域に取外し可能に係合されると、前記着用者の人体に前記ウエスト領域を一致させるようになっていることを特徴とする請求項１９に記載の吸収性物品。
【請求項２１】  コンテナと、フロントウエスト領域、バックウエスト領域、該ウエスト領域の間を延びて、これを接続する股領域、及び一対の側部方向に対向した側部縁とを形成する予め結合された複数の使い捨て吸収性と、からなり、多機能結合システムを含むようになっている予め結合された使い捨て吸収性物品のパッケージであって、該多機能結合システムは、
a)  前記ウエスト領域の一方において前記対向した側部縁に配置されており、前記使い捨て吸収性部品の前記対向したウエスト領域に取外し可能に予め結合されて、前記フロントウエスト領域を前記バックウエスト領域に取外し可能に係合し、予め結合された使い捨て吸収性物品を形成するようになっている一対の一次ファスナーと、
b)  前記ウエスト領域の他方に配置されており、前記予め結合された吸収性物品が前記着用者のヒップ周りで着用されると、前記ウエスト領域を着用者の身体に一致させるようにする、少なくとも１つの二次ファスナーと、
からなる使い捨て吸収性部品。
【請求項２２】  前記二次ファスナーは前記吸収性物品に固定された取付け端部と、前記吸収性物品の前記対向するウエスト領域を取外し可能に係合するように構成されたフック式ファスナーを含む自由端部とを備え、前記ウエスト領域を前記着用者の身体に一致するようにすることを特徴とする請求項２１に記載の予め組立てられた吸収性物品のパッケージ。
【請求項２３】  前記延長部材の前記取付け端部は前記一次ファスナーと前記フック式ファスナーから内方向に配置され、前記延長部材の前記自由端部は前記一次ファスナーの少なくとも一方を越えて延びるように構成され、前記吸収性物品の前記対向ウエスト領域と取外し可能に係合し、前記ウエスト領域を前記着用者の身体に一致するようにすることを特徴とする請求項２２に記載の吸収性物品。
【請求項２４】  フロントウエスト領域と、バックウエスト領域と、該ウエスト領域の間を延びて、これを接続する股領域、及び一対の側部方向に対向した側部縁とを形成しており、多機能結合システムを含む使い捨て吸収性物品であって、前記多機能結合システムは、
a)  前記一方のウエスト領域の前記対向した側部縁に配置され、前記吸収性物品の前記対向したウエスト領域と取外し可能に係合するように構成され、前記フロントウエスト領域を前記バックウエスト領域に取外し可能に係合し、ウエスト外周寸法を定めるようになっている一対の一次ファスナーと、
b)  前記一次ファスナーを取り外すことなく、前記吸収性物品の前記ウエスト外周寸法を小さくし、前記一次ファスナーが前記対向ウエスト領域に取外し可能に係合し、着用者のウエスト周りに前記吸収性物品を固定すると、前記ウエスト領域を着用者の身体に一致させるようにするウエストサイズ調整手段と、
からなる使い捨て吸収性部品。
【請求項２５】  前記一次ファスナーは予め結合されていることを特徴とする請求項２４に記載の吸収性物品。
【請求項２６】  前記ウエストサイズ調整手段は、前記ウエスト領域の一方に配置され、前記対向したウエスト領域と取外し可能に係合するように構成されている少なくとも一つの二次ファスナーを含むことを特徴とする請求項２４に記載の吸収性物品。
【請求項２７】  前記ウエスト調整手段は、
a)  前記ウエスト領域と側部方向に対向した端部とに固定された取付け部分を備えるようになっている、前記一方のウエスト領域に配置されたベルトセグメントと、
b)  前記ベルトセグメントの前記対向した端部に配置されており、前記対向したウエスト領域に取外し可能に係合し、前記一次ファスナーが取外し可能に係合されると、前記ウエスト領域を着用者の身体に一致するように構成されている一対の二次ファスナーと、
を含むことを特徴とする請求項２４に記載の吸収性物品。